(57)【要約】 【課題】  リテーナ装着口を有するハウジングの強度を確保する。【解決手段】  雌ハウジング１０には、雌端子金具５０が挿入されるキャビティ１４を横切るようにして同キャビティ１４と連通するリテーナ装着口１１が開口して形成されている。リテーナ装着口１１は、雌ハウジング１０の上面から両側面にかけて開口され、両側面のうちの一側面からリテーナ４０が差し込まれる。雌ハウジング１０の上面には、リテーナ装着口１１の開口と交差する方向に補強部２０が架設されている。補強部２０は、押圧部１３の後方にあって前方から見ると押圧部１３の投影面内に配置されている。【選択図】  図１
2005216792.tif 000002
【特許請求の範囲】
【請求項１】
端子金具が挿入されるキャビティが形成されるとともに前記キャビティを横切るようにして同キャビティと連通するリテーナ装着口が開口して形成されたハウジングと、前記リテーナ装着口に差し込まれて前記端子金具を抜け止め状態で係止するリテーナとを備え、
前記リテーナ装着口は、前記ハウジングにおいて前記リテーナの差し込み方向と対向する二面とこれに直交する隣接面との三面に開口しており、前記隣接面には、前記リテーナ装着口の開口と交差する補強部が架設されていることを特徴とするコネクタ。
【請求項２】
前記ハウジングは、相手ハウジングのフード部に嵌合可能とされ、前記相手ハウジングには、両ハウジングの嵌合離脱方向に沿って移動可能なスライダが組み付けられ、前記スライダには、被押圧部が前記フード部の内側面に露出して設けられるとともに付勢手段の一端が支持される一方、前記ハウジングにおける前記隣接面には、押圧部が突設されており、前記両ハウジングを嵌合させる過程では、前記被押圧部が前記押圧部により押し込まれることで前記付勢手段が前記両ハウジングを離脱させる方向に付勢力を蓄積させ、前記両ハウジングが正規嵌合されると、前記相手ハウジングに設けられた解除案内部によって前記押圧部と前記被押圧部との押圧状態が解除され、それとともに前記スライダの移動が許容されることで前記付勢手段の付勢力が解放されるものにおいて、
前記押圧部と前記補強部とは、夫々、前記両ハウジングの嵌合方向に沿った前後位置に並んで配置され、前記補強部は、前記両ハウジングの嵌合方向の前方から見ると、前記押圧部の投影面内に配置されていることを特徴とする請求項１に記載のコネクタ。
【発明の詳細な説明】
【技術分野】
【０００１】
本発明は、リテーナ付きのコネクタに関する。
【背景技術】
【０００２】
リテーナ付きのコネクタとしては、合成樹脂材よりなるハウジング部と、このハウジング部に形成されたキャビティに収容される端子金具と、ハウジング部の一側面に開口されるとともにキャビティと連通可能なリテーナ装着口に差し込まれるリテーナとを備えたものが知られている。リテーナは、端子挿入方向と直交する方向に移動可能とされ、仮係止位置と本係止位置との間を変位可能とされている。仮係止位置におけるリテーナは、キャビティから外れた位置に退避されて端子金具の挿抜を許容し、本係止位置におけるリテーナは、正規挿入された端子金具の後端あご部を係止して端子金具を抜け止め保持するようになっている。この種のコネクタは、以下の特許文献１に開示されている。
【特許文献１】特開平８−１３００５７号公報
【発明の開示】
【発明が解決しようとする課題】
【０００３】
上記したコネクタにおいて低背化の要請があった場合には、上壁や下壁を除肉して薄壁とする考え方がある。この場合に、例えば上壁を薄肉化すると、リテーナ装着口がハウジング部の一側面ばかりでなく上面にも連続して開口することになる。こうしてリテーナ装着口がハウジング部の三面に開口すると、ハウジング部がリテーナ装着口を間に撓み変形可能となるから、ハウジング部の強度が低下する懸念があり、これに対して何らかの対策を講ずることが求められる。
【０００４】
本発明は上記のような事情に基づいて完成されたものであって、リテーナ装着口を有するハウジングの強度を高めることを目的とする。
【課題を解決するための手段】
【０００５】
上記の目的を達成するための手段として、請求項１の発明は、端子金具が挿入されるキャビティが形成されるとともに前記キャビティを横切るようにして同キャビティと連通するリテーナ装着口が開口して形成されたハウジングと、前記リテーナ装着口に差し込まれて前記端子金具を抜け止め状態で係止するリテーナとを備え、前記リテーナ装着口は、前記ハウジングにおいて前記リテーナの差し込み方向と対向する二面とこれに直交する隣接面との三面に開口しており、前記隣接面には、前記リテーナ装着口の開口と交差する補強部が架設されている構成としたところに特徴を有する。
【０００６】
請求項２の発明は、請求項１に記載のものにおいて、前記ハウジングは、相手ハウジングのフード部に嵌合可能とされ、前記相手ハウジングには、両ハウジングの嵌合離脱方向に沿って移動可能なスライダが組み付けられ、前記スライダには、被押圧部が前記フード部の内側面に露出して設けられるとともに付勢手段の一端が支持される一方、前記ハウジングにおける前記隣接面には、押圧部が突設されており、前記両ハウジングを嵌合させる過程では、前記被押圧部が前記押圧部により押し込まれることで前記付勢手段が前記両ハウジングを離脱させる方向に付勢力を蓄積させ、前記両ハウジングが正規嵌合されると、前記相手ハウジングに設けられた解除案内部によって前記押圧部と前記被押圧部との押圧状態が解除され、それとともに前記スライダの移動が許容されることで前記付勢手段の付勢力が解放されるものにおいて、前記押圧部と前記補強部とは、夫々、前記両ハウジングの嵌合方向に沿った前後位置に並んで配置され、前記補強部は、前記両ハウジングの嵌合方向の前方から見ると、前記押圧部の投影面内に配置されているところに特徴を有する。
【発明の効果】
【０００７】
＜請求項１の発明＞
リテーナ装着口がハウジングにおいてリテーナの差し込み方向と対向するニ面とこれに直交する隣接面との三面に開口しているから、ハウジングの強度低下が懸念されるところであるが、本発明によれば、隣接面にリテーナ装着口の開口と交差する方向に補強部が架設されているから、この補強部によってハウジングの補強を図ることができ、ハウジングの強度を確保することができる。
【０００８】
＜請求項２の発明＞
ハウジングは、相手ハウジングのフード部に嵌合され、その嵌合過程で隣接面に突設された押圧部を相手ハウジングに組み付けられたスライダの被押圧部に係合させる。したがって、隣接面に補強部が存在していると、フード部の開口縁や内側面との干渉が懸念されるところであるが、本発明によれば、補強部と押圧部とが嵌合方向の前後位置に並んで配置され、補強部が嵌合方向の前方から見ると押圧部の投影面内に配置されているから、かかる干渉を回避できるとともにハウジングのデッドスペースが有効に利用される。
【発明を実施するための最良の形態】
【０００９】
本発明の実施形態を図１ないし図１６に基づいて説明する。本実施形態に係るコネクタは、互いに嵌合可能な雌雄の両ハウジング１０，３０と、このうちの雌側のハウジング（本発明のハウジングに相当し、以下、単に雌ハウジング１０という）の外側面に開口されたリテーナ装着口１１に差し込まれて雌端子金具５０を係止するリテーナ４０とを備えている。なお、以下の説明では、両ハウジング１０，３０の互いの嵌合面側を前方とする。
【００１０】
雄側のハウジング（本発明の相手ハウジングに相当し、以下、単に雄ハウジング３０という）は、合成樹脂により一体形成され、図１２（Ｂ）にも示すように、雄端子金具６０とショート端子６１とを収容可能な端子収容部３１と、その前方に開口されたフード部３２とにより構成され、フード部３２には雌ハウジング１０が嵌合可能とされている。端子収容部３１には、後方から雄端子金具６０を挿入可能な複数のキャビティ３３が前後に貫通して形成されている。端子収容部３１のうちキャビティ３３よりも下位には、ショート端子６１を収容可能なショート端子収容室３４が側面に開口して形成されている。ショート端子６１は、フード部３２側に突出するとともに雄端子金具６０のタブ６３の下面に対して弾接可能な弾性接触片６２を２本備えており、対応する２本の雄端子金具６０が短絡可能とされている。
【００１１】
フード部３２の上部には、片持ち状をなすロックアーム３５が形成されている。ロックアーム３５は、フード部３２の幅方向略中央部を基端として弾性撓み可能とされており、その下面前端部にはロック突起３６が形成されている。ロック突起３６は、その後面に雌ハウジング１０のロック部１２（後述する）を係止させることで、両ハウジング１０，３０が嵌合保持されるようにしている。
フード部３２におけるロックアーム３５の両端縁側方は切り欠かれており、ここには、図１２（Ａ）にも示すように、スライダ３７の被押圧アーム３８が進入可能とされている。また、端子収容部３１の上端部におけるロックアーム３５の両側方には、被押圧アーム３８に係合可能な一対の解除案内部３９が設けられている。解除案内部３９は、スライダ３７の後退動作に伴なって被押圧アーム３８の弾性変形を誘導可能とされている。
【００１２】
スライダ３７は、合成樹脂材により形成されて半嵌合防止ユニット（以下、単にユニット７０という）に組み付けられている。このスライダ３７は、前後方向に長い扁平なスライダ本体７１を備え、このスライダ本体７１は、ユニット７０に装着された状態でユニット７０の内壁及びフード部３２の上壁と摺接しつつ前後方向つまり両ハウジング１０，３０の嵌合離脱方向に沿って移動可能とされている。スライダ本体７１の下面前端部における両側縁からは、一対の被押圧アーム３８が突設されている。被押圧アーム３８は、後方へ片持ち状に形成され、前端位置における基端部を支点として撓み変形可能とされている。被押圧アーム３８の自由端側には、略鈎状をなす被押圧部７２が下方へ突出して形成されてフード部３２の内側面に臨んでいる。被押圧部７２の前面は、後方へ向かって昇り勾配をなし、後述する押圧部１３の前面に当接可能とされている。
ユニット７０には、スライダ３７のほか圧縮コイルバネ７３（本発明の付勢手段に相当する）が組み付けられている。この圧縮コイルバネ７３は、その一端をユニット７０の後壁におけるバネ保持部７４に支持させるとともに、その他端をスライダ本体７１のバネ受け部７５に受け止めさせている。
【００１３】
雌ハウジング１０は、図８ないし図１１に示すように、合成樹脂材によって略ブロック状に一体形成されている。雌ハウジング１０には、後方から雌端子金具５０を挿入可能なキャビティ１４が前後に貫通して形成され、各キャビティ１４は、横並びで複数室（本実施形態の場合は３室）設けられている。雌端子金具５０は、雄端子金具６０と電気的に接触される箱型の本体部５１と、電線Ｗの端末に圧着接続されるバレル部５２とを前後に連ねた構成とされている。各キャビティ１４の上面には、前方へ開口する係止溝１５が形成され、この係止溝１５の奥端面に、本体部５１にて切り起こされた片持ち状のランス５３が係止可能とされている。雌ハウジング１０のうちキャビティ１４よりも下位には、雄ハウジング３０側のショート端子６１の弾性接触片６２が進入可能な解除溝１６が前面と下面とに開口して形成され、その周縁によって弾性接触片６２を押し下げることができるようになっている。
【００１４】
雌ハウジング１０の上面の前端部には、一対の押圧部１３がそれぞれ幅方向に所定距離を置いて突設され、各押圧部１３は、スライダ３７の被押圧部７２を押圧可能とされている。この押圧部１３のうち被押圧部７２を押圧する前面は、前方に向かって昇り勾配をなし、後面は、前方へ向かって前面よりもきつい昇り勾配をなすように形成されている。雌ハウジング１０の上面における幅方向略中央でかつ押圧部１３よりも後方には、雄ハウジング３０側のロックアーム３５に係止可能なロック部１２が突設されている。ロック部１２の前面は、ロックアーム３５の乗り上げ動作が容易となるよう後方へ向かって昇り勾配をなす一方、ロック部１２の後面は、略垂直な真直面とされ、ここがロックアーム３５に対する係止面とされている。
【００１５】
雌ハウジング１０の長さ方向略中央の一側面には、各キャビティ１４を横切るようにしてリテーナ装着口１１が開口して形成され、ここに雌端子金具５０を抜け止め状態で係止可能なリテーナ４０が差し込み可能とされている。リテーナ４０は、雌端子金具５０の挿抜を許容する仮係止位置（図７（Ａ）に示す状態）と、本体部５１の後端あご部５４と係合して雌端子金具５０を係止する本係止位置（図７（Ｂ）に示す状態）との間を幅方向に沿って移動可能とされている。
【００１６】
リテーナ装着口１１は、雌ハウジング１０の上面から両側面にかけて三面に開口している。雌ハウジング１０の両側面は、本発明における「リテーナ４０の差し込み方向と対向する二面」を構成し、雌ハウジング１０の上面は、本発明における「直交する隣接面」を構成している。
詳しくはリテーナ装着口１１は、図９に示すように、リテーナ４０の断面形状と対応するように側方から見るとＬの字形に開口するとともに、雌ハウジング１０の一側面にて略矩形状に大きく開口しており、この開口部１７にリテーナ４０の押込み操作部４１が嵌合可能とされている。開口部１７の開口縁には、治具誘い込み面１８が形成されており、この治具誘い込み面１８に図示しない治具を滑らせることで組み付けられたリテーナ４０を引掛けて雌ハウジング１０から離脱可能なようにしてある。
【００１７】
また、図７（Ａ）にも示すように、雌ハウジング１０内におけるリテーナ装着口１１の孔縁には、係合突部１９が設けられている。係合突部１９には、リテーナ４０の係合受け部４２が係合可能とされ、この係合受け部４２と係合突部１９の係合によってリテーナ４０が仮係止位置と本係止位置とに保持可能とされている。また、この係合突部１９におけるリテーナ４０の差し込み方向と対向する面は、リテーナ４０が仮係止位置から本係止位置へ移動する際に乗り越え容易な案内面とされている。
【００１８】
リテーナ４０は、同じく合成樹脂材によって一体形成され、図４ないし図６に示すように、雌ハウジング１０の幅寸法と対応する長さをもった差込部４３と、その一端部にて差込部４３と直交して配される押込み操作部４１とを備えている。差込部４３は、底壁４４とその前端から立ち上げられた立壁４５とにより断面略Ｌの字形に形成され、立壁４５は、各キャビティ１４間を横切って配置されるようになっている。立壁４５には、キャビティ１４と対応した所定形状の貫通部４６が設けられ、貫通部４６の上縁からは雌端子金具５０の後端あご部５４に係合可能な係止突部４７が垂設されている。係止突部４７は、リテーナ４０が仮係止位置にあるときにはキャビティ１４から側方へ退避されて雌端子金具５０の挿抜を許容し、リテーナ４０が本係止位置に達したときにキャビティ１４内に進入して雌端子金具５０を係止可能とされている。
【００１９】
また、底壁４４の後縁には、幅方向に間隔をあけて一対の係合受け部４２が凹設されている。各係合受け部４２は、それぞれ、雌ハウジング１０の係合突部１９と対応する形態をなし、リテーナ４０の差し込み方向先方に位置する仮係止用の係合受け部４２Ａと、リテーナ４０の差し込み方向後方に位置する本係止用の係合受け部４２Ｂとにより構成されている。これら本係止用及び仮係止用の係合受け部４２Ａ，４２Ｂの間は、干渉部４８によって仕切られており、この干渉部４８が係合突部１９に係止可能とされている。よって、リテーナ４０は、仮係止用の係合受け部４２Ａに係合突部１９を嵌合させることで、押込み操作部４１を雌ハウジング１０の一側面側方へ突出させた状態として仮係止位置に留め置かれ、その状態でさらに押し込まれ、干渉部４８が係合突部１９を弾性的に乗り越えて本係止用の係合受け部４２Ｂに係合突部１９を嵌合させることで、押込み操作部４１を開口部１７に嵌め込んだ状態として本係止位置に留め置かれる。また、底壁４４には、立壁４５側に開口された逃し孔４９が形成されており、ここが干渉部４８が係合突部１９を乗り越える際の撓み代となっている。さらに、押込み操作部４１は、開口部１７を閉止可能な略矩形状をなし、その内側面には、治具誘い込み面１８と対応する誘導面４１Ａが形成されている。
【００２０】
さて、雌ハウジング１０の上面には、図１にも示すように、リテーナ装着口１１の開口とほぼ直交する補強部２０が架設されている。この補強部２０は、全体として角柱状をなし、前後方向つまり両ハウジング１０，３０の嵌合離脱方向に沿って延出されている。そして、この補強部２０は、幅方向に間隔をあけて一対設けられ、ちょうど押圧部１３の後方にあって前方から見ると、押圧部１３の投影面内に配置されるようになっている。この場合、補強部２０と押圧部１３とは、夫々、高さ寸法及び幅寸法がほぼ同一とされている。また、補強部２０と押圧部１３との間には、両ハウジング１０，３０が正規に嵌合されたときに、被押圧アーム３８の被押圧部７２が嵌り込むようになっている。つまり、この補強部２０と押圧部１３との間には、被押圧部７２が収容可能なスペースがあけられている。
【００２１】
次に、本実施形態の作用を説明する。まず、リテーナ４０を雌ハウジング１０のリテーナ装着口１１に側方から差し込み、押込み操作部４１を押し込む。すると、雌ハウジング１０の係合突部１９がリテーナ４０の仮係止用のロック受け部４２Ａに嵌め込まれ、図７（Ａ）に示すように、リテーナ４０が仮係止位置に留め置かれる。続いて、後方から雌端子金具５０をキャビティ１４内に挿入する。このとき、雌端子金具５０は、リテーナ４０の係止突部４７と干渉することなく挿入され、正規の挿入位置に達すると、ランス５３により一次係止される。
【００２２】
この状態で、リテーナ４０をさらに押し込むと、係合突部１９が干渉部４８を弾性的に乗り越えて本係止用の係合受け部４２Ｂに嵌め込まれ、リテーナ４０が本係止位置に留め置かれる。すると、係合突部１９がキャビティ１４内に進入して雌端子金具５０の後端あご部５４を係止し、もって雌端子金具５０が二次係止される。
【００２３】
次に、雄ハウジング３０にユニット７０を組み付け、スライダ３７を初期位置にセットする。そして、雌ハウジング１０を雄ハウジング３０のフード部３２内に所定深さとなるまで嵌合させ、図１２（Ａ）に示すように、押圧部１３を被押圧部７２に当接させる。さらに嵌合を進めると、図１３（Ａ）に示すように、被押圧部７２が押圧部１３により押し込まれて、スライダ３７が初期位置から後退するとともに圧縮コイルバネ７３が弾縮される。
【００２４】
この場合に、作業者の勘違い等により、嵌合作業を途中で中止すると、圧縮コイルバネ７３に蓄積された付勢力が解放され、被押圧部７２が押圧部１３を押し返すことで、両ハウジング１０，３０が強制的に離脱される。これにより、両ハウジング１０，３０が半嵌合状態にあることがわかるので、こうした半嵌合状態に留め置かれる事態を回避できる。
【００２５】
図１３（Ｂ）に示すように、ロックアーム３５のロック突起３６がロック部１２の前面に当接した状態からさらに嵌合を進めると、図１４（Ｂ）に示すように、ロックアーム３５がロック部１２に乗り上げられて撓み変形される。一方、図１５（Ａ）に示すように、被押圧部７２は解除案内部３９に乗り上げられ、被押圧アーム３８が撓み変形される。また、この過程で、ショート端子６１の弾性接触片６２が雌ハウジング１０の解除溝１６内に進入してその周縁により押し下げられ、タブ６３から離れて両雄端子金具６０の短絡状態が解除される。
【００２６】
そして、両ハウジング１０，３０が正規に嵌合されると、図１６（Ｂ）に示すように、ロックアーム３５のロック突起３６がロック部１２を乗り越えるとともに、ロックアーム３５が弾性復元してロック突起３６がロック部１２を係止する。また、両ハウジング１０，３０が正規に嵌合されると、被押圧部７２が解除案内部３９によって押圧部１３から外れてその押圧状態が解除されるから、圧縮コイルバネ７３の付勢力が解除され、それとともにスライダ３７が前進移動して再び初期位置に戻る。すると、被押圧部７２は、図１６（Ａ）に示すように、押圧部１３と補強部２０との間に嵌め込まれて逃がされ、被押圧アーム３８が自然状態に復元される。なお、嵌合の過程で、押圧部１３は、補強部２０の後方に位置して前方から見ると補強部２０の陰に隠れて見えない構成とされるから、フード部３２の開口縁や内側面と干渉することはない。
【００２７】
以上のように、本実施形態によれば、雌ハウジング１０の上面にリテーナ装着口１１の開口と直交する補強部２０が架設されているから、この補強部２０によって雌ハウジング１０の補強を図ることができ、リテーナ装着口１１が存在しても雌ハウジング１０が撓み変形される事態を回避できる。また、雌ハウジング１０の強度確保のために、雌ハウジング１０の上面を閉止しなくて済むから、その閉止に要する壁厚分だけ雌ハウジング１０の厚みを減少させることができ、小型化を図れる。
【００２８】
また、雌ハウジング１０は、雄ハウジング３０のフード部３２に嵌合され、その嵌合過程で上面に突設された押圧部１３を雄ハウジング３０に組み付けられたスライダ３７の被押圧部７２に係合させる。したがって、補強部２０が存在していると、フード部３２の開口縁や内側面との干渉が懸念されるところであるが、本実施形態によれば、補強部２０と押圧部１３とが嵌合方向の前後位置に並んで配置され、補強部２０が嵌合方向の前方から見ると押圧部１３の投影面内に配置されているから、かかる干渉を回避できる。その結果、フード部３２に補強部２０進入用の逃しを別途設けなくて済む。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、雌ハウジングの両側面がリテーナの差し込み方向と対向する二面とされ、上面に補強部が設けられていたが、本発明においては、雌ハウジングの上下両面がリテーナの差し込み方向と対向する二面とされ、両側面のうちのいずれか一側面に補強部が設けられていてもよい。
【００３０】
（２）上記実施形態では、補強部がリテーナ装着口の開口と略直交して架設されていたが、本発明においては、補強部がリテーナ装着口の開口と交差して架設されていればよい。
（３）上記実施形態では、雌ハウジング側のリテーナ装着口に補強部が架設されていたが、本発明においては、雄ハウジング側のリテーナ装着口に補強部が架設されていてもよい。
（４）本発明において、補強部の本数は、任意に設定できる。
【図面の簡単な説明】
【００３１】
【図１】本発明の実施形態に係る雌コネクタの平面図
【図２】雌コネクタの右側面図
【図３】雌コネクタの側断面図
【図４】リテーナの平面図
【図５】リテーナの正面図
【図６】リテーナの背面図
【図７】（Ａ）リテーナが仮係止位置に留め置かれた状態を示す横断面図  （Ｂ）リテーナが本係止位置に留め置かれた状態を示す横断面図
【図８】雌ハウジングの平面図
【図９】雌ハウジングの右側面図
【図１０】雌ハウジングの側断面図
【図１１】雌ハウジングの左側面図
【図１２】（Ａ）押圧部が被押圧部に当接した状態を示す側断面図  （Ｂ）両ハウジングを嵌合する途中の状態を示す側断面図
【図１３】（Ａ）押圧部が被押圧部を押し込んだ状態を示す側断面図  （Ｂ）ロックアームがロック部に当接した状態を示す側断面図
【図１４】（Ａ）被押圧部が解除案内部に当接した状態を示す側断面図  （Ｂ）ロックアームが撓み変形した状態を示す側断面図
【図１５】（Ａ）被押圧アームが弾性変形した状態を示す側断面図  （Ｂ）さらにロックアームが撓み変形した状態を示す側断面図
【図１６】（Ａ）両ハウジングが正規に嵌合し、スライダが初期位置に達した状態を示す側断面図  （Ｂ）両ハウジングが正規に嵌合し、ロックアームがロック部を係止した状態を示す側断面図
【符号の説明】
【００３２】
１０…雌ハウジング
１１…リテーナ装着口
１２…ロック部
１３…押圧部
１４…キャビティ
２０…補強部
４０…リテーナ
４３…差込部
【図１】
2005216792.tif 000003
【図２】
2005216792.tif 000004
【図３】
2005216792.tif 000005
【図４】
2005216792.tif 000006
【図５】
2005216792.tif 000007
【図６】
2005216792.tif 000008
【図７】
2005216792.tif 000009
【図８】
2005216792.tif 000010
【図９】
2005216792.tif 000011
【図１０】
2005216792.tif 000012
【図１１】
2005216792.tif 000013
【図１２】
2005216792.tif 000014
【図１３】
2005216792.tif 000015
【図１４】
2005216792.tif 000016
【図１５】
2005216792.tif 000017
【図１６】
2005216792.tif 000018